(57)【要約】【課題】覗き窓による箱内部の確認を可能としながらも見栄えの良い収納箱を提供する。【解決手段】覗き窓１０を有する本体部と、この覗き窓１０に張り付けられたフィルム１１とを有し、本体部における可視光線透過率が７０〜１００％であり、フィルム１１の少なくとも一方の面に感温インクによる印刷が施されており、且つこの印刷部分の可視光線透過率が温度３０℃より低ければ０〜５％になるとともに温度３０℃以上では２０〜１００％になるように構成されている収納箱１とする。【選択図】図１
2008296984.tif 000002
【特許請求の範囲】
【請求項１】
覗き窓を有する本体部と、この覗き窓に張り付けられたフィルムとを有し、前記本体部における可視光線透過率が０〜５％である収納箱であって、
前記フィルムの少なくとも一方の面に感温インクによる印刷が施されており、且つこの印刷部分の可視光線透過率が温度３０℃より低ければ０〜５％になるとともに温度３０℃以上では２０〜１００％になるように構成されている、ことを特徴とする収納箱。
【請求項２】
前記本体部が紙により形成されるとともに、前記フィルムが張り付けられた部分を取り囲むようにミシン目が形成されている、請求項１記載の収納箱。
【請求項３】
前記本体部に模様及び文字の少なくとも一方からなるデザインが印刷されるとともに、前記感温インクによる印刷により前記フィルムに前記本体部のデザインから続いてそのデザインの一部をなす続きデザインが付されている、請求項１又は２記載の収納箱。
【請求項４】
上面、下面及びこれらの間の周囲を覆う周面を有し、上面に取り出し口が設けられ、衛生薄葉紙が下面から上面に向かって積み重ねられた状態で収納され、最上部の衛生薄葉紙が前記取り出し口から順次取り出されるように構成された、衛生薄葉紙の収納箱であって、前記覗き窓が、前記周面における下端から上側に延在している、請求項１〜３のいずれか１項に記載の収納箱。
【請求項５】
前記本体部が紙により形成されるとともに、前記覗き窓は前記周面の下端から前記周面の上下方向中間位置まで延在しており、前記フィルムが張り付けられた部分を取り囲むようにミシン目が形成されており、且つこのミシン目は、前記覗き窓の周方向両側に沿って、前記周面の下縁から前記覗き窓の上縁と前記周面の上縁との間の上下方向位置まで延在する両側部分と、前記覗き窓の上縁と前記周面の上縁との間を通り前記両側部分の一方から他方まで延在する上側部分と、前記周面の下縁上を通り前記両側部分の一方から他方まで延在する下側部分とからなるものである、請求項４記載の収納箱。
【請求項６】
前記本体部が紙により形成されるとともに、前記フィルムが張り付けられた部分を取り囲むようにミシン目が形成されており、且つこのミシン目は、前記覗き窓の周方向両側に沿って、前記周面の下縁又は前記下面から前記覗き窓の上縁よりも上側まで延在する両側部分と、前記覗き窓の上側を通り前記両側部分の一方から他方まで延在する上側部分と、前記下面における前記周面の下縁から離間した位置を通り前記両側部分の一方から他方まで延在する下側部分とからなるものである、請求項４記載の収納箱。
【請求項７】
前記本体部が紙により形成されるとともに、前記フィルムが張り付けられた部分を取り囲むようにミシン目が形成されており、且つこのミシン目は、前記覗き窓の周方向両側に沿って、前記周面の下縁から周面の上縁まで延在する両側部分と、前記周面の上縁上を通り前記両側部分の一方から他方まで延在する上側部分と、前記周面の下縁上を通り前記両側部分の一方から他方まで延在する下側部分とからなるものである、請求項４記載の収納箱。
【請求項８】
上面、下面、前面、後面、及び左右の側面を有する直方体又は立方体状をなしており、前記側面は、上面の隣接縁及び下面の隣接縁からそれぞれ延在する上フラップ及び下フラップと、前面の隣接縁及び後面の隣接縁からそれぞれ延在する前フラップ及び後フラップからなるとともに、前フラップ及び後フラップの外側に上フラップ及び下フラップが重ねられ、且つ上フラップの下端部と下フラップの上端部とが重ねられた状態で封じられており、前記覗き窓が、前記下フラップのうち前記上フラップ、前フラップ及び後フラップと重ならない部分に形成されている、請求項４〜７のいずれか１項に記載の収納箱。
【請求項９】
上面、下面、前面、後面、及び左右の側面を有する直方体又は立方体状をなしており、下面の周縁のうち前面又は後面と隣接する縁から糊代片が張り出しており、前面及び後面のうち糊代片と隣接する面と糊代片とが重ねられて接着固定されることにより、上面、下面、前面及び後面からなる筒状部が形成されており、前記覗き窓が、前記前面及び後面のうち前記糊代片が接着されない面に形成されている、請求項４〜７のいずれか１項に記載の収納箱。
【請求項１０】
前記感温インクが、電子供与性呈色性有機化合物と、電子受容性化合物と、有極性有機化合物とを含むものである、請求項１〜９のいずれか１項に記載の収納箱。
【発明の詳細な説明】
【技術分野】
【０００１】
本発明は、開封することなく内容物の状態を確認することのできる収納箱に関する。
【背景技術】
【０００２】
例えばティシュペーパーを箱詰めした製品であるボックスティシュのように、収納箱内に収納された多数の用品（ティシュペーパー）を順に取り出して使用する製品では、箱が透明である場合等の特殊な場合を除き、外部から目視するだけでは収納物の残量等の状態を容易に確認できないという問題点を有していた。
そこで、このような問題を解決するものとして、収納箱の一部に覗き窓を設けることが提案されている（特許文献１参照）。
【特許文献１】特開２００６−１１１３４８
【発明の開示】
【発明が解決しようとする課題】
【０００３】
しかしながら、この従来技術は、覗き窓に単なる透明フィルムを張り付けるものであったため、外部から箱内部が常時見えてしまい、見栄えを損ねるという問題点があった。特に、家庭向け或いは業務向け等の多くの製品では、箱全体にわたり一体的で調和したデザインが印刷により施されているため、このような箱デザインとは異なる覗き窓が設けられていると、デザインの一体感や調和感が損なわれることにより見栄えがより一層悪くなり、商品価値の低下を招くおそれがある。
そこで、本発明の主たる課題は、覗き窓による箱内部の確認を可能としながらも、見栄えの良い収納箱を提供することにある。
【課題を解決するための手段】
【０００４】
上記課題を解決した本発明は次記のとおりである。
＜請求項１記載の発明＞
覗き窓を有する本体部と、この覗き窓に張り付けられたフィルムとを有し、前記本体部における可視光線透過率が０〜５％である収納箱であって、
前記フィルムの少なくとも一方の面に感温インクによる印刷が施されており、且つこの印刷部分の可視光線透過率が温度３０℃より低ければ０〜５％になるとともに温度３０℃以上では２０〜１００％になるように構成されている、ことを特徴とする収納箱。
【０００５】
（作用効果）
覗き窓に貼り付けるフィルムに、このような感温インクによる印刷が施されていると、常温ではフィルムの透明度が低く、外部から箱内部を見ることができなくなり、見栄えを損ねない。そして、温度が３０℃以上になると透明度が高くなり、外部から箱内部を見ることができるようになる。したがって例えば、必要に応じて、指先をフィルムに接触させてフィルムの温度を上昇させることにより、フィルムの透明度を上げ、箱の内部をフィルム越しに視認することができる。
なお、印刷部分の可視光線透過率はＪＩＳ Ｓ３１０７に準じて測定されるものであり、印刷部分が小さいために印刷部分のみの測定ができない場合には、印刷部分と同一のフィルム基材に印刷部分と同一のインクで且つ同一の印刷条件（インク着肉量等）のベタ印刷を行ったサンプルを用いて測定されるものである
【０００６】
＜請求項２記載の発明＞
前記本体部が紙により形成されるとともに、前記フィルムが張り付けられた部分を取り囲むようにミシン目が形成されている、請求項１記載の収納箱。
【０００７】
（作用効果）
フィルムを張り付けた紙製収納箱では、廃棄時に、可燃ごみである紙部分と不燃ごみであるフィルム部分とを分離する必要がある。この際、本項記載のようにミシン目が設けられていると、フィルム張り付け部分を容易に切り取り分離できるため好ましい。
【０００８】
＜請求項３記載の発明＞
前記本体部に模様及び文字の少なくとも一方からなるデザインが印刷されるとともに、前記感温インクによる印刷により前記フィルムに前記本体部のデザインから続いてそのデザインの一部をなす続きデザインが付されている、請求項１又は２記載の収納箱。
【０００９】
（作用効果）
前述のとおり、家庭向け或いは業務向け等の多くの製品では、箱全体にわたり一体的で調和したデザインが印刷により施されている。本項記載のように、感温インクによる印刷によりフィルムに本体部のデザインから続いてそのデザインの一部をなす続きデザインが付されていることで、覗き窓の存在による違和感が残るとしても、全体としてのデザインの一体感や調和感が損なわれない。よって、より見栄えに優れたものとなり、商品価値が向上する。
【００１０】
＜請求項４記載の発明＞
上面、下面及びこれらの間の周囲を覆う周面を有し、上面に取り出し口が設けられ、衛生薄葉紙が下面から上面に向かって積み重ねられた状態で収納され、最上部の衛生薄葉紙が前記取り出し口から順次取り出されるように構成された、衛生薄葉紙の収納箱であって、前記覗き窓が、前記周面における下端から上側に延在している、請求項１〜３のいずれか１項に記載の収納箱。
【００１１】
（作用効果）
本項記載の発明は、ティシュペーパー、キッチンペーパー、タオルペーパー等の衛生薄葉紙を収納した収納箱における残量確認への応用に係るものである。例えば、一般的なボックスティシュにおいては、ティシュペーパーが下面から上面に向かって積み重ねられた状態で収納され、最上部のティシュペーパーが取り出し口から順次取り出されるようになっている。キッチンペーパー、タオルペーパー等の他の衛生薄葉紙製品においても、同様の構造が採用されているものがある。そして、通常の使用形態では下面を設置面上に載せて使用される。よって、覗き窓が本項記載のように周面における下端から上側に延在していると、内部に収納されたティシュペーパーの残量を確認し易いため好ましい。
なお、方向を示す用語である「上・下・前・後・左・右」は、使用時の方向を限定するものではない（以下に同じ）。
【００１２】
＜請求項５記載の発明＞
前記本体部が紙により形成されるとともに、前記覗き窓は前記周面の下端から前記周面の上下方向中間位置まで延在しており、前記フィルムが張り付けられた部分を取り囲むようにミシン目が形成されており、且つこのミシン目は、前記覗き窓の周方向両側に沿って、前記周面の下縁から前記覗き窓の上縁と前記周面の上縁との間の上下方向位置まで延在する両側部分と、前記覗き窓の上縁と前記周面の上縁との間を通り前記両側部分の一方から他方まで延在する上側部分と、前記周面の下縁上を通り前記両側部分の一方から他方まで延在する下側部分とからなるものである、請求項４記載の収納箱。
【００１３】
（作用効果）
本項記載のようにミシン目を設けることで、切り取り範囲を最小限に抑えることができる。また、ミシン目による切り取りは切り取り開始位置及び終了位置において失敗（ミシン目とは無関係に破れる）し易い。しかし、本項記載のようにミシン目を設けると、上側から下側に向けてミシン目で囲まれた部分を切り取ることにより、ミシン目における最後の切り離し部分が周面の下縁上、つまり周面と下面との折り角に位置するため、切り離しの力がミシン目に集中し、ミシン目とは無関係に破れるといった失敗が起こり難くなる。また、反対に下側から上側に向けてミシン目で囲まれた部分を切り取る場合には、周面の下縁に指先を掛けることにより、切り取りの開始が容易となる。
【００１４】
＜請求項６記載の発明＞
前記本体部が紙により形成されるとともに、前記フィルムが張り付けられた部分を取り囲むようにミシン目が形成されており、且つこのミシン目は、前記覗き窓の周方向両側に沿って、前記周面の下縁又は前記下面から前記覗き窓の上縁よりも上側まで延在する両側部分と、前記覗き窓の上側を通り前記両側部分の一方から他方まで延在する上側部分と、前記下面における前記周面の下縁から離間した位置を通り前記両側部分の一方から他方まで延在する下側部分とからなるものである、請求項４記載の収納箱。
【００１５】
（作用効果）
本項記載のようにミシン目が形成されていると、下面においてミシン目により囲まれる部分に指先を押し込んでミシン目の下端部を切り離した後、押し込んだ指を周面におけるミシン目により囲まれる部分に引っ掛けて箱外側に引き出すことにより、周面におけるミシン目により囲まれる部分を下側から上側に向かって順に切り取ることができる。したがって、切り取り作業が極めて容易になり、切り取り作業をある程度雑に行っても失敗し難くなる。
【００１６】
＜請求項７記載の発明＞
前記本体部が紙により形成されるとともに、前記フィルムが張り付けられた部分を取り囲むようにミシン目が形成されており、且つこのミシン目は、前記覗き窓の周方向両側に沿って、前記周面の下縁から周面の上縁まで延在する両側部分と、前記周面の上縁上を通り前記両側部分の一方から他方まで延在する上側部分と、前記周面の下縁上を通り前記両側部分の一方から他方まで延在する下側部分とからなるものである、請求項４記載の収納箱。
【００１７】
（作用効果）
本項記載のようにミシン目を設けることで、ミシン目で囲まれた部分を上側から下側に向けて切り取るにしても、反対に下側から上側に向けて切り取るにしても、ミシン目における最後の切り離し部分が周面の下縁上、つまり周面と下面との折り角に位置するか、又は周面の上縁上、つまり周面と上面との折り角に位置することになる。よって、いずれの場合にも、ミシン目の最後の切り離し部分に切り離しの力が集中し、ミシン目とは無関係に破れるといった失敗が起こり難くなる。
【００１８】
＜請求項８記載の発明＞
上面、下面、前面、後面、及び左右の側面を有する直方体又は立方体状をなしており、前記側面は、上面の隣接縁及び下面の隣接縁からそれぞれ延在する上フラップ及び下フラップと、前面の隣接縁及び後面の隣接縁からそれぞれ延在する前フラップ及び後フラップからなるとともに、前フラップ及び後フラップの外側に上フラップ及び下フラップが重ねられ、且つ上フラップの下端部と下フラップの上端部とが重ねられた状態で封じられており、前記覗き窓が、前記下フラップのうち前記上フラップ、前フラップ及び後フラップと重ならない部分に形成されている、請求項４〜７のいずれか１項に記載の収納箱。
【００１９】
（作用効果）
ティシュペーパー、キッチンペーパー、タオルペーパー等の衛生薄葉紙の収納箱は本項記載のような直方体状又は立方体状が一般的であり、覗き窓の形成面は周面（前面、後面及び左右両側面）であれば特に限定されない。しかし、このような収納箱においては、本項記載のような上下フラップ及び前後フラップからなる側面構造が広く採用されている。このような構造では、上下フラップにわたる覗き窓は製造が困難であり、また下フラップの上下方向全体にわたる覗き窓を設ける場合、覗き窓の上端部が上フラップに隠れるという問題がある。さらに、いずれの場合においても、フィルムと周囲部分との段差により下フラップと上フラップとの間に箱内外に連通する隙間が発生するおそれがある。よって、本項記載のような構造を採用するのが好ましい。
【００２０】
＜請求項９記載の発明＞
上面、下面、前面、後面、及び左右の側面を有する直方体又は立方体状をなしており、下面の周縁のうち前面又は後面と隣接する縁から糊代片が張り出しており、前面及び後面のうち糊代片と隣接する面と糊代片とが重ねられて接着固定されることにより、上面、下面、前面及び後面からなる筒状部が形成されており、前記覗き窓が、前記前面及び後面のうち前記糊代片が接着されない面に形成されている、請求項４〜７のいずれか１項に記載の収納箱。
【００２１】
（作用効果）
ティシュペーパー、キッチンペーパー、タオルペーパー等の衛生薄葉紙の収納箱は本項記載のような直方体状又は立方体状が一般的であり、覗き窓の形成面は周面（前面、後面及び左右両側面）であれば特に限定されない。しかし、このような収納箱においては、本項記載のような筒状構造が広く採用されている。このような構造では、前面及び後面のうち下面の糊代片が接着される面においては、下端から延在する覗き窓は製造が困難であり、また製造するにしても、フィルムと周囲部分との段差により箱内外に連通する隙間が発生するおそれがある。よって、本項記載のような構造を採用するのが好ましい。
【００２２】
＜請求項１０記載の発明＞
前記感温インクが、電子供与性呈色性有機化合物と、電子受容性化合物と、有極性有機化合物とを含むものである、請求項１〜９のいずれか１項に記載の収納箱。
【００２３】
（作用効果）
本発明の感温インクとしては、本項記載のものが特に好適である。
【発明の効果】
【００２４】
以上の通り、本発明によれば、覗き窓による箱内部の確認が可能でありながら見栄えの良い収納箱となる、等の利点がもたらされる。
【発明を実施するための最良の形態】
【００２５】
以下、本発明の実施形態について添付図面を参照しつつ説明する。
図１は、本発明に係る紙製収納箱１を採用したボックスティシュを示し、図２は、収納箱１の展開状態を示している。このティシュペーパー収納箱１は、図１に示されるように組み立て状態で直方体状を成すものであり、上下一対の上面２及び下面３と、前後一対の前面４及び後面５と、左右一対の左側面４及び右側面５とを有している。この場合、前後面４，５及左右側面６，７が本発明の周面に相当する。
【００２６】
図２の展開状態からも判るように、下面の後縁（周縁のうち後面と隣接する縁）からその長手方向全体にわたり糊代片３ｂが張り出しており、後面の内側に糊代片３ｂが重ねられて接着剤により接着固定されることにより、上面２、下面３、前面４及び後面５からなる筒状部が形成されている。
【００２７】
また、左右の側面４，５は、上面２の隣接縁及び下面３の隣接縁からそれぞれ延在する上フラップ２ｆ及び下フラップ３ｆと、前面４の隣接縁及び後面５の隣接縁からそれぞれ延在する前フラップ４ｆ及び後フラップ５ｆからなるものであり、前フラップ４ｆ及び後フラップ５ｆの外側に上フラップ２ｆ及び下フラップ３ｆが重ねられて、上フラップ２ｆ及び下フラップ３ｆが前フラップ及び後フラップ５ｆに接着剤により固定されるとともに、下フラップ３ｆの上端部の外側に上フラップ２ｆの下端部が重ねられて、重ね合わせ部分が接着剤により固定されている。
【００２８】
収納箱１の上面２には、ミシン目などの切りこみ目が予め形成されており、使用開始時にその切りこみ目で囲まれる部分２ｂを剥ぎ取ることにより取り出し窓２ａが形成されるようになっている。取り出し窓２ａは予め開口されていても良いものである。
【００２９】
取り出し窓２ａには、その全体にわたるポリエチレンフィルム等のカバーシート２ｃが張り付けられ、カバーシート２ｃにおける取り出し窓２ａにより取り囲まれる部分には、箱１の長手方向に沿うスリット２ｓが形成されている。スリット２ｓは図示例のように取り出し窓２ａの全長より短くすることができる（スリット２ｓの両端が取り出し窓２ａの端縁から離間している）ほか、全長と同一あるいは取り出し窓２ａの両端より長く形成する（スリット２ｓの両端が窓２ａの端縁まで達している）ことができる。
【００３０】
収納箱１の内部には、図３に示すように、複数枚のティッシュペーパー８が積層状態で収容されている。各ティッシュペーパー８は上下２層構造をなすように２つ折りで折り畳まれており、上下に隣接するティッシュペーパー８のうち下側のティッシュペーパー８の上層８ｕが上側のティッシュペーパー８における上下層間８ｕ，８ｂ間に挟まれている。図示しないが、各ティッシュペーパーを上層・中層・下層の三層構造をなすようにＺ字状に折り畳み、上下に隣接するティッシュペーパーのうち下側のティッシュペーパーの上層を上側のティッシュペーパーの中層と下層との間に挟むこともできる。この場合、カバーシート２ｃのスリット２ｓを通してティッシュペーパー８を一枚ずつ取り出す際、次のティッシュペーパー８が引き出されて、その先端部がカバーシート２ｃのスリット２ｓに挟まれて保持される（所謂ポップアップ取り出し）ようになる。
【００３１】
特徴的には、前面４における下端から上側に延在するように覗き窓１０が設けられており、この覗き窓１０に、その全体にわたるようにフィルム１１が張り付けられるとともに、このフィルム１１の少なくとも一方の面、好ましくは箱内側の面に、感温インクによる印刷が施されている。箱内側に印刷することにより、箱外部からの接触や擦れによるインクの剥がれを防止することができる。また、フィルム１１の印刷部分の可視光線透過率が温度３０℃より低ければ０〜５％になるとともに温度３０℃以上では２０〜１００％になるように構成されている。温度３０℃未満の可視光線透過率が５％以上であると、明るい場所において箱内部が透けて見えてしまいデザイン性が損なわれてしまう。また、温度３０℃以上の可視光線透過率が２０％以下であると、暗い場所において箱内側を視認することができない場合がある。更に、感温インクによる印刷部分では、フィルム１１の可視光線透過率が温度３０℃より低ければ０〜３％になるとともに温度３０℃以上では５０〜１００％になるように構成されていると好ましい。
【００３２】
このようなフィルム１１は、可視光線透過率７０〜１００％程度の適宜のフィルム基材に、適宜の感温インクを用いて印刷を施すことにより製造することができる。フィルム１１の可視光線透過率が７０％未満であると感温インクによる印刷部分の変化が乏しくなってしまう。フィルム基材としては、ポリエチレンフィルム、ポリプロピレンフィルム等のオレフィン系樹脂フィルムや、ポリエチレンテレフタレート等のポリエステル系樹脂フィルム等を好適に用いることができる。フィルム基材の厚みは適宜定めることができるが、製造容易性やコストを考慮すると、１５〜８００μｍ程度とするのが好ましい。フィルム厚が８００μｍより厚いと、例えば指先でフィルムを擦ったとしても、指先の温度が箱内側に印刷された感温インクに伝わりにくくなってしまう。また、フィルム厚が１５μｍより薄いと、フィルムに触れる際にフィルムが伸びてしまう可能性があり、その結果印刷が歪んでしまいデザイン性が損なわれてしまう。
【００３３】
感温インクは、上記温度及び可視光線透過率に対応した印刷が可能であれば特に限定されず、例えば、可逆的に色が変化するサーモクロミック材料を用いることができる。可逆的に色が変化するサーモクロミック材料としては、無機系では金属錯塩類からなるもの、有機系では縮合芳香環置換エチレン誘導体またはコレステリック液晶からなるものが挙げられる。
【００３４】
特に、電子供与性呈色性有機化合物（色を決定する役割）と電子受容性化合物（濃度を決定する役割）と有極性有機化合物（変色温度を決定する役割）とを含む有機系サーモクロミック材料を用いるのが好ましい。このサーモクロミック材料は、電子供与性呈色性有機化合物と電子受容性化合物とが、有極性有機化合物雰囲気にあって、この雰囲気の熱平衡に応じて電子の授受が行われ、染料構造をとって有色になったり、ロイコ体構造をとって無色になったりするものである。また、このサーモクロミック材料は、有極性有機化合物の種類を変えることで変色温度を変更することができ、且つ、電子供与性呈色性有機化合物の種類を変えることで色相を変更することができる。
【００３５】
このようなサーモクロミック材料としては、メタモカラー（登録商標）等が例として挙げられる。また、このようなサーモクロミック材料は、フィルムにそのまま塗布することも可能であるが、高分子材料のマトリックス中に保持させたり、マイクロカプセル化したりした後に塗布することもできる。
【００３６】
感温インクによる印刷は、フィルム１１の全面にわたり隙間無く施すことも、また一部に非印刷部分が残るように設けることもできる。特に、印刷部分の面積率（印刷部分の面積／非印刷部分の面積）が５０〜１００％であるのが好ましい。印刷部分の面積率が５０％未満であると箱の中身が外部から見え過ぎてしまうため、デザイン性が低下してしまうからである。使用する感温インクは適宜定めることができ、一色であっても、複数色であっても良い。また、前面４全体にわたり一体的で調和したデザイン（文字、図形、模様等）を印刷により施す場合、感温インクによる印刷によりフィルム１１に本体部のデザインから続いてそのデザインの一部をなす続きデザインを印刷すると、全体としてのデザインの一体感や調和感が損なわれず、見栄えがより優れたものとなる。
【００３７】
フィルム１１は、箱１内面に貼り付けると、外面にフィルム１１の周縁が露出しないため好ましいが、箱１外面に貼り付けることもでき、後者の場合にはミシン目１２（後述する）を設けなくてもフィルム１１を本体部から取り外すことが出来る利点がある。フィルム１１を貼り付けるためには、フィルム１１の寸法を覗き窓１０よりも若干大きくし、フィルム１１の周縁部と覗き窓１０の周縁部の内面又は外面とを重ね合わせて接着剤により連続環状に接着するのが好ましい。
【００３８】
覗き窓１０の形状としては図示例のような矩形状の他、円状、楕円状、多角形状等を採用することができる。また、覗き窓１０の形成位置についても適宜定めることができ、図１及び図２に示す例では、覗き窓１０は前面４における下縁から前面４の上下方向中間位置まで延在している。覗き窓１０を前面４の上縁まで延在させることもできる。このように、覗き窓の下端が箱１の下端に一致していると、箱１内のティシュペーパー８が残りわずかであっても中身の残量を確認することができる。
【００３９】
また、覗き窓１０は後面５に設けることも可能であるが、後面５の下端部は下面から延出する糊代片３ｂが重ねられて接着されており、製造が困難になるおそれ等があるため、このような糊代片３ｂが接着されていない前面４との接着が望ましい。
【００４０】
さらに、覗き窓１０は左右の側面６，７に設けることも可能であるが、上下フラップ２ｆ，３ｆにわたる覗き窓は製造が困難であり、また下フラップ３ｆの上下方向全体にわたる覗き窓を設ける場合、覗き窓の上端部が上フラップ２ｆに隠れるという問題がある。さらに、いずれの場合においても、フィルム１１と周囲部分との段差により下フラップ３ｆと上フラップ２ｆとの間に箱１内外に連通する隙間が発生するおそれがある。
【００４１】
よって、覗き窓１０を左右の側面６，７に設ける場合、図６及び図７に示すように、下フラップ３ｆのうち上フラップ２ｆ、前フラップ４ｆ及び後フラップ５ｆと重ならない部分に形成するのが好ましい。具体的には、図５中の各寸法に関して次の式（１）〜（３）の関係を満足するように設計する。
Ｌ１  ≧  Ｈ２ｆ  ＋  Ｈ３ｆ  −  Ｈ４ｆ      …（１）
Ｌ２  ≧  Ｌ４ｆ                              …（２）
Ｌ３  ≧  Ｌ５ｆ                              …（３）
ただし、Ｈ２ｆは上フラップ２ｆの上下方向長さ、Ｈ３ｆは下フラップ３ｆの上下方向長さ、Ｈ４ｆは右フラップ４ｆの上下方向長さ、Ｌ４ｆは右フラップ４ｆの左右方向長さ、Ｌ５ｆは左フラップ５ｆの左右方向長さ、Ｌ１は下フラップ３ｆの上縁と覗き窓１０の上縁との離間距離、Ｌ２は下フラップ３ｆの右縁と覗き窓１０の右縁との離間距離、Ｌ３は下フラップ３ｆの左縁と覗き窓１０の左縁との離間距離である。
離間距離Ｌ１が短いと、覗き窓１０の上端部が上フラップ２ｆと重なってしまう。また、離間距離Ｌ２、Ｌ３が短いと覗き窓１０の一部又は全部が、右フラップ４ｆ又は左フラップ５ｆに重なってしまう。
【００４２】
他方、フィルム１１が張り付けられた部分を取り囲むようにミシン目１２が形成されていると、廃棄時に可燃ごみである紙部分と不燃ごみであるフィルム１１とを容易に分離できるため好ましい。ミシン目１２の形成位置は適宜定めることができる。図１及び図２に示す例では、ミシン目１２が、覗き窓１０の周方向両側に沿って、前面の下縁から覗き窓１０の上縁と前面４の上縁との間の上下方向位置まで延在する両側部分と、この両側部分の一方から他方まで、覗き窓１０の上縁と前面４の上縁との間を通り、及び前面の下縁上を通りそれぞれ延在する上側部分及び下側部分とからなる矩形状に形成されている。この場合、切り取り範囲を最小限に抑えることができ、また、上側から下側に向けてミシン目１２で囲まれた部分を切り取ることにより、ミシン目１２における最後の切り離し部分が前面４の下縁上、つまり前面４と下面３との折り角に位置するため、切り離しの力がミシン目１２に集中し、ミシン目１２とは無関係に破れるといった失敗が起こり難くなる。また、反対に下側から上側に向けてミシン目１２で囲まれた部分を切り取る場合には、前面４の下縁に指先を掛けることにより、切り取りの開始が容易となる。
【００４３】
また、図４に示すように、ミシン目１２が、覗き窓１０の周方向両側に沿って、下面３（前面４の下縁であっても良い）から覗き窓１０の上縁よりも上側まで延在する両側部分と、この両側部分の一方から他方まで、覗き窓１０の上側を通り、及び下面３における前面４の下縁から離間した位置を通りそれぞれ延在する上側部分及び下側部分とからなる区形状に形成されているのも好ましい形態である。このようにミシン目１２が形成されていると、下面３においてミシン目１２により囲まれる部分に指先を押し込んでミシン目１２の下端部を切り離した後、押し込んだ指を前面４におけるミシン目１２により囲まれる部分の内面に引っ掛けて箱外側に引き出すことにより、前面４におけるミシン目１２により囲まれる部分を下側から上側に向かって順に切り取ることができる。したがって、切り取り作業が極めて容易になり、切り取り作業をある程度雑に行っても失敗し難くなる。
【００４４】
さらに、図５に示すように、ミシン目１２が、覗き窓１０の周方向両側に沿って、前面４の下縁から前面４の上縁まで延在する両側部分と、この両側部分の一方から他方まで、前面４の上縁上を通り、及び前面４の下縁上を通りそれぞれ延在する上側部分及び下側部分とからなる矩形状に形成されているとのも好ましい。この場合、上下いずれからミシン目１２の切り離しを開始するにしても、指先を角に掛けることができ、切り取りの開始が容易になるとともに、ミシン目１２における最後の切り離し部分が角に位置するため、切り離しの力がミシン目１２に集中し、ミシン目１２とは無関係に破れるといった失敗も起こり難くなる。
【００４５】
一方、図６は、側面（図では左側面）の下フラップ３ｆに覗き窓１０を設ける場合におけるミシン目の形成位置例を示している。この例は、基本的には図５に示す例と同様であり、区形状のミシン目が下フラップ３ｆから下面３まで延在しているものである。ただし、この場合、前フラップ４ｆ及び後フラップ５ｆの外側に上フラップ２ｆ及び下フラップ３ｆが重ねられて接着されるとともに、下フラップ３ｆの上端部と上フラップ２ｆの下端部とが重ねあわされて接着されるため、ミシン目１２もこの部分を避けて、下フラップ３ｆのうち上フラップ２ｆ、前フラップ４ｆ及び後フラップ５ｆと重ならない部分に形成するのが好ましい。具体的には、図５中の各寸法に関して次の式（４）〜（６）の関係を満足するように設計する。
Ｌ５  ≧  Ｈ２ｆ  ＋  Ｈ３ｆ  −  Ｈ４ｆ      …（４）
Ｌ６  ≧  Ｌ４ｆ                              …（５）
Ｌ７  ≧  Ｌ５ｆ                              …（６）
ただし、Ｈ２ｆは上フラップ２ｆの上下方向長さ、Ｈ３ｆは下フラップ３ｆの上下方向長さ、Ｈ４ｆは右フラップ４ｆの上下方向長さ、Ｌ４ｆは右フラップ４ｆの左右方向長さ、Ｌ５ｆは左フラップ５ｆの左右方向長さ、Ｌ５は下フラップ３ｆの上縁とミシン目１２の上縁との離間距離、Ｌ６は下フラップ３ｆの右縁とミシン目１２の右縁との離間距離、Ｌ７は下フラップ３ｆの左縁とミシン目１２の左縁との離間距離である。
離間距離Ｌ５が短いと、ミシン目１２の上側部分が上フラップ２ｆと重なってしまう。また、離間距離Ｌ６、Ｌ７が短いとミシン目１２の左側部分、右側部分の一部又は全部が、右フラップ４ｆ又は左フラップ５ｆに重なってしまう。
【００４６】
（その他）
本発明が対象とする収納箱は、本体部における可視光線透過率が０〜５％であるものである。ボール紙製の紙箱の場合、坪量が３００〜４５０ｇ／ｍ2程度であるとこの可視光線透過率の範囲内となる。
上記の実施形態では、直方体状の収納箱の例を示したが、本発明はこの形状に限定されるものではなく、立方体状、円柱状、多角柱状等、他の形状であっても良い。
【００４７】
（実施例）
表１に示すように各種フィルム（本発明に係る実施例１、２、比較例１〜４）について可視光線透過率の測定・算出および官能評価を行った。可視光線透過率の測定は、ＪＩＳ Ｓ３１０７の規定に準じて行った。なお、本実施例において用いた箱は可視光線透過率０％の紙製の箱であり、フィルム基材は５０μｍで可視光線透過率９７〜９８％のものであり、感温インクはＢ−３０（日本カプセルプロダクツ社製）である。
官能評価は３０名の被験者を対象とし、表１に示す３項目について実施した。「触れた時に中身が視認できる」の項目について、「触れた時に中身が視認できる」と答えた人数が被験者全体の９５％以上であれば○、５％未満であれば×とした。「触れる前に中身が視認できない」の項目について、「触れる前に中身が視認できない」と答えた人数が被験者全体の９５％以上であれば○、５％未満であれば×とした。「触れた後にデザイン性が損なわれない」の項目について、「触れた後にデザイン性が損なわれない」と答えた人数が被験者全体の９５％以上であれば○、５％未満であれば×とした。「総合評価」の項目について、上記三つの項目が全て○であれば○とし、一つでも×があれば×とした。
【００４８】
【表１】
2008296984.tif 000003
【００４９】
表１からも判るように、本発明に係る実施例は、比較例と比較してデザイン性優れ、且つ必要に応じて中身を視認することができるという結果が得られた。
【産業上の利用可能性】
【００５０】
本発明は、ティシュペーパーの収納箱等、箱全般に適用できるものである。
【図面の簡単な説明】
【００５１】
【図１】本発明に係わるティシュペーパー収納箱の組立状態を示す斜視図である。
【図２】ティシュペーパー収納箱の要部を示す断面図である。
【図３】別のティシュペーパー収納箱の展開図である。
【図４】さらに別のティシュペーパー収納箱の展開図である。
【図５】さらにまた別のティシュペーパー収納箱の展開図である。
【図６】他のティシュペーパー収納箱の展開図である。
【図７】本発明に係わるティシュペーパー収納箱の組立状態を示す斜視図である。
【符号の説明】
【００５２】
１…ティシュペーパー収納箱、２…上面、３…下面、４…前面、５…後面、６…左側面、７…右側面、８…ティシュペーパー、３ｂ…糊代片、１０…覗き窓、１１…フィルム、１２…ミシン目、２ｆ…上フラップ、３ｆ…下フラップ、４ｆ…右フラップ、５ｆ…左フラップ、２ａ…取り出し窓。
【図１】
2008296984.tif 000004
【図２】
2008296984.tif 000005
【図３】
2008296984.tif 000006
【図４】
2008296984.tif 000007
【図５】
2008296984.tif 000008
【図６】
2008296984.tif 000009
【図７】
2008296984.tif 000010